(57)【要約】【課題】無線接続システムで移動局の遊休モードを制御する方法を提供する。【解決手段】遊休モード制御方法は、移動局によってサービング基地局と関連するサービングページンググループ識別子を備えたサービング基地局に遊休モード要請を転送することによって、遊休モード進入を要請する段階を備える。前記方法はまた、前記サービング基地局から遊休モード許可命令語を受信することによって、遊休モードに進入する段階を備える。前記方法はまた、前記移動局と前記ターゲットページンググループと関連するターゲット基地局間の、前記サービング基地局識別子及び前記サービングページンググループ識別子を含むレンジング要請を始める段階を備える。前記方法はまた、前記サービング基地局は前記サービング基地局識別子を通じて前記移動局が前記サービング基地局と遊休モードにないことがわかり、前記移動局は前記ターゲット基地局と連結する段階を備える。【選択図】図２
2008502271.tif 000002
【特許請求の範囲】
【請求項１】
少なくともサービングページンググループ（serving  paging  group）と関連するサービング基地局（serving  base  station）とターゲットページンググループ（target  paging  group）と関連するターゲット基地局（target  base  station）とを含むネットワークと移動局（mobile  subscriber  station）間の遊休モードを制御する方法において、
前記移動局が、前記サービング基地局と関連するサービングページンググループ識別子及びサービング基地局識別子を含む前記サービング基地局に遊休モード要請（idle  mode  request）を転送し、遊休モード進入を要請する段階と、
前記サービング基地局から前記サービング基地局識別子及び前記サービングページンググループ識別子を含む遊休モード許可命令語（idle  mode  grant  command）を受信し、前記遊休モードに進入する段階と、
前記移動局と前記ターゲットページンググループと関連するターゲット基地局間の、前記サービング基地局識別子及び前記サービングページンググループ識別子を含むレンジング要請（ranging  request）を始める段階と、
前記サービング基地局は、前記サービング基地局識別子を通じて前記移動局が前記サービング基地局と遊休モードにないことがわかり、前記移動局は、前記ターゲット基地局と連結する段階と、
を備える、遊休モード制御方法。
【請求項２】
前記ネットワークは、前記サービング基地局に動作するように連結されているページング制御器（paging  controller）をさらに備えることを特徴とする、請求項１に記載の遊休モード制御方法。
【請求項３】
前記サービング基地局識別子は、前記ページング制御器と関連するページング制御器識別子と代替されることを特徴とする、請求項２に記載の遊休モード制御方法。
【請求項４】
前記ターゲット基地局へのレンジング要請は、位置更新要請（location  update  request）をさらに含むことを特徴とする、請求項１に記載の遊休モード制御方法。
【請求項５】
位置更新応答（location  update  response）を含むレンジング応答（ranging  response）を受信する段階をさらに備えることを特徴とする、請求項４に記載の遊休モード制御方法。
【請求項６】
少なくともサービングページンググループ（serving  paging  group）と関連するサービング基地局（serving  base  station）と、ターゲットページンググループ（target  paging  group）と関連するターゲット基地局（target  base  station）とを含むネットワークと移動局（mobile  subscriber  station）間の遊休モードを制御する方法において、
遊休モード進入のために、前記移動局から前記サービング基地局と関連するサービングページンググループ識別子及びサービング基地局識別子を含む前記サービング基地局へ向かう遊休モード要請（idle  mode  request）を受信する段階と、
前記サービング基地局が前記移動局に、前記サービング基地局識別子及び前記サービングページンググループ識別子を含む遊休モード許可命令語（idle  mode  grant  command）を転送する段階と、
前記移動局から前記ターゲットページンググループと関連するターゲット基地局へ向かい、前記サービング基地局識別子及びサービングページンググループ識別子を含む連結要請（connection  request）を受信する段階と、
前記サービング基地局は、前記サービング基地局識別子を通じて前記移動局が前記サービング基地局と遊休モードにないことがわかり、前記移動局は、前記ターゲット基地局と連結する段階と、
を備える、遊休モード制御方法。
【請求項７】
前記ネットワークは、前記サービング基地局に動作するように連結されていることを特徴とする、請求項６に記載の遊休モード制御方法。
【請求項８】
前記サービング基地局識別子は、前記ページング制御器と関連するページング制御器識別子と代替されることを特徴とする、請求項７に記載の遊休モード制御方法。
【請求項９】
前記ターゲット基地局への連結要請は、位置更新要請（location  update  request）をさら含むことを特徴とする、請求項６に記載の遊休モード制御方法。
【請求項１０】
前記ページング制御器に遊休モード情報要請メッセージを転送する段階と、
前記ページング制御器から遊休モード情報応答メッセージを受信する段階と、
前記移動局にレンジング応答を転送する段階と、
をさらに備えることを特徴とする、請求項９に記載の遊休モード制御方法。
【請求項１１】
前記移動局にレンジング応答を転送する段階をさらに備えることを特徴とする、請求項９に記載の遊休モード制御方法。
【請求項１２】
前記ページング制御器は、前記サービング基地局及び前記サービングページンググループと関連する他の基地局に、前記移動局が前記サービング基地局と遊休モードにないことを知らせることを特徴とする、請求項７に記載の遊休モード制御方法。
【請求項１３】
前記ページング制御器は、前記ターゲット基地局及び前記ターゲットページンググループと関連する他の基地局に、前記移動局が前記ターゲット基地局と遊休モードに再進入したことを知らせることを特徴とする、請求項７に記載の遊休モード制御方法。
【請求項１４】
サービングページンググループ（serving  paging  group）と関連するサービング基地局（serving  base  station）とターゲットページンググループ（target  paging  group）と関連するターゲット基地局（target  base  station）とを含むネットワークと遊休モードを制御するための移動局（mobile  subscriber  station）において、
前記移動局が、前記サービング基地局と関連するサービングページンググループ識別子及びサービング基地局識別子を含む前記サービング基地局に遊休モード要請（idle  mode  request）を転送し、遊休モード進入を要請する手段と、
前記サービング基地局から前記サービング基地局識別子及び前記サービングページンググループ識別子を含む遊休モード許可命令語（idle  mode  grant  command）を受信し、前記遊休モードに進入する手段と、
前記移動局と前記ターゲットページンググループと関連するターゲット基地局間の、前記サービング基地局識別子及び前記サービングページンググループ識別子を含むレンジング要請（ranging  request）を始める手段と、
前記サービング基地局は、前記サービング基地局識別子を通じて前記移動局が前記サービング基地局と遊休モードにないことがわかり、前記移動局は、前記ターゲット基地局と連結する手段と、
を備える、移動局。
【請求項１５】
前記ネットワークは、前記サービング基地局に動作するように連結されたページング制御器（paging  controller）をさらに備えることを特徴とする、請求項１４に記載の移動局。
【請求項１６】
前記サービング基地局識別子は、前記ページング制御器と関連するページング制御器識別子と代替されることを特徴とする、請求項１５に記載の移動局。
【請求項１７】
前記ターゲット基地局へのレンジング要請は、位置更新要請（location  update  request）をさらに含むことを特徴とする、請求項１４に記載の移動局。
【請求項１８】
少なくともサービングページンググループ（serving  paging  group）と関連するサービング基地局（serving  base  station）とターゲットページンググループ（target  paging  group）と関連するターゲット基地局（target  base  station）とを含み、移動局（mobile  subscriber  station）を有するネットワークにおいて、
遊休モード進入のために、前記移動局から前記サービング基地局と関連するサービングページンググループ識別子及びサービング基地局識別子を含む前記サービング基地局へ向かう遊休モード要請（idle  mode  request）を受信する手段と、
前記サービング基地局から前記移動局へ前記サービング基地局識別子及び前記サービングページンググループ識別子を含む遊休モード許可命令語（idle  mode  grant  command）を転送する手段と、
前記移動局から前記ターゲットページンググループと関連するターゲット基地局へ向かい、前記サービング基地局識別子及びサービングページンググループ識別子を含む連結要請（connection  request）を受信する手段と、
前記サービング基地局は、前記サービング基地局識別子を通じて前記移動局が前記サービング基地局と遊休モードにないことがわかり、前記移動局は、前記ターゲット基地局と連結する手段と、
を備える、ネットワーク。
【請求項１９】
前記ネットワークは、前記サービング基地局に動作するように連結されたページング制御器をさらに備えることを特徴とする、請求項１８に記載のネットワーク。
【請求項２０】
前記サービング基地局識別子は、前記ページング制御器と関連するページング制御器識別子と代替されることを特徴とする、請求項１８に記載のネットワーク。
【請求項２１】
前記目的基地局への連結要請は、位置更新要請（location  update  request）をさらに含むことを特徴とする、請求項１８に記載のネットワーク。
【請求項２２】
前記ページング制御器は、前記サービング基地局及び前記サービングページンググループと関連する他の基地局に、前記移動局が前記サービング基地局と遊休モードにないことを知らせることを特徴とする、請求項１９に記載のネットワーク。
【請求項２３】
前記ページング制御器は、前記ターゲット基地局及び前記ターゲットページンググループと関連する他の基地局に、前記移動局が前記ターゲット基地局と遊休モードに再進入したことを知らせることを特徴とする、請求項１９に記載のネットワーク。
【発明の詳細な説明】
【技術分野】
【０００１】
本発明は無線接続システムに係り、より具体的には、移動局の遊休モードに関するものである。
【背景技術】
【０００２】
広帯域無線接続システムでは、移動局（ＭＳＳ：Mobile  Subscriber  Station）の電力消耗を最小化するために遊休モード（idle  mode）を支援する。遊休モードにおいて、移動局は、同じページング領域（paging  zone）に含まれる基地局間を移動する際にハンドオフ手順を行う必要がない。したがって、移動局は、ハンドオフ手順のための上りリンク（Uplink）情報転送をしなくても済み、その分だけ電力消耗を節減できる。
【０００３】
ページング領域は、ページンググループという複数の基地局が制御する領域と定義される。同じページング領域に含まれる基地局は、同じ値のページング周期（Paging_Cycle）とページングオフセット（Paging_Offset）を持つ。
【０００４】
移動局は、基地局に遊休モードへの切り替えを要請できる。基地局は、自身のページング領域ＩＤ（Paging-group  ID）とそれに該当するページング周期及びページングオフセットを含むページングメッセージを提供する。これにより、該当する移動局は遊休モード状態に切り替えられる。
【０００５】
遊休モードの間、移動局は、約束したページング周期ごとに基地局から提供されるページングメッセージから、継続して遊休モードを維持するか、終了するかを判断することが可能である。
【０００６】
遊休モードにある移動局に転送すべきトラフィックが発生した場合、この移動局は、遊休モードを終了することが可能である。遊休モードにある移動局へ伝達しなければならないトラフィックが発生した場合、基地局はページングを通じて移動局が遊休モードを終了するようにすることができる。また、遊休モードにあった移動局が移動して他のページング領域へ移動する、または、同期を失う等の理由から、定められた時間にページングを受信できない場合、移動局は遊休モードを終了する。
【０００７】
要するに、遊休モードに入った移動局は、転送したり受信する情報がない限り、周期的なページングを正常に受信することによって、ハンドオフ手順を行わなくても同じページング領域での自由な移動が保障される。
【０００８】
一つのページング領域を構成するために基地局間有線上にページンググループアクション（Paging-group-action）バックボーンメッセージが転送される。ページンググループバックボーンメッセージの一例を、表１に示す。
【０００９】
【表１】
2008502271.tif 000003
前記ページンググループバックボーンメッセージは、基地局間に伝達される。前記バックボーンメッセージは、アクション（Action）フィールドの内容によって次の４つの用途に用いられることができる。
【００１０】
受信する基地局（target  BS）を特定ページンググループに指定できる（Action＝０）。受信する基地局を特定ページンググループから除外できる（Action＝１）。受信する基地局がどのページンググループに属するか尋ねることができる（Action＝２）。ターゲット基地局（target  BS）に送信する基地局（Sender  BS）がどのページンググループに属するか知らせることができる（Action＝３）。
【００１１】
一つの基地局が一つ以上のページング領域に属することができるため、前記バックボーンメッセージは複数個のページンググループに対する情報を含むことができる。前記バックボーンメッセージから、基地局は各ページング領域で用いられるページング周期とページングオフセットを確認できる。前記バックボーンメッセージを通じて基地局をページンググループに動的に割り当てることが可能である。
【００１２】
移動局が遊休モードに切り替えるためには既存のＭＡＣメッセージの一つであるＤＲＥＧ＿ＲＥＱを遊休モード要請メッセージとして使用する。該遊休モード要請メッセージ（ＤＲＥＧ＿ＲＥＱ）メッセージの形式を、下記の表２に示す。
【００１３】
【表２】
2008502271.tif 000004
移動局は、前記ＤＥＲＧ＿ＲＥＱメッセージのDe-registration  Request  Codeを０ｘ０１に設定して基地局に伝達することによって、自身が遊休モードに切り替えるということを要請できる。この時、所望のページング周期を伝達することも可能である。
【００１４】
前記ＤＥＲＧ＿ＲＥＱメッセージを受け取ったサービング基地局（Serving  base  station）は、既存のＤＲＥＧ＿ＣＭＤメッセージを通じて移動局の要請に応答できる。ＤＲＥＧ＿ＣＭＤメッセージの形式を、下記の表３に示す。
【００１５】
【表３】
2008502271.tif 000005
前記サービング基地局は、前記ＤＲＥＧ＿ＣＭＤメッセージのアクションコード（Action  Code）を通じて遊休モードへの切り替えを許容する（Action  Code＝０ｘ０５）、一定時間後に再び遊休モードへの切り替えを要請するようにする（Action  Code＝０ｘ０６）、または、自身がＤＲＥＧ＿ＣＭＤを転送するまでそれ以上遊休モードへの切り替えを要請するのを許容しないことができる（Action  Code＝０ｘ０７）。
【００１６】
前記ＤＲＥＧ＿ＣＭＤメッセージのアクションコードの詳細な内容を、下記の表４に示す。
【００１７】
【表４】
2008502271.tif 000006
同じページング領域に属する各基地局は、遊休モードに切り替えた移動局に対する情報を共有できる。この情報に基づいて、ページング周期ごとに前記サービング基地局は前記各移動局が行うべき手順を知らせることができる。
【００１８】
そのために下記の表５に示すページング案内（Paging-announce）バックボーンメッセージが使われる。
【００１９】
【表５】
2008502271.tif 000007
前記ページング案内バックボーンメッセージは、同じページング領域に属する全ての基地局に伝達される。前記ページング案内バックボーンメッセージを受信する基地局は、該メッセージに含まれている移動局のＭＡＣアドレスを、このメッセージ内のページング周期とページングオフセットに合わせてページングしなければならない。
【００２０】
その結果、前記ページング案内バックボーンメッセージを通じて、あるページング領域に属する全ての基地局は、ページングしなければならない移動局のＭＡＣアドレスを同一に維持することが可能である。したがって、ある移動局は現在ページング領域を外れない限り、ページング周期ごとに自身に対するページング情報を受信することが可能である。
【００２１】
各基地局が遊休モード状態にある移動局にページングを通じて転送するページングメッセージ（ＭＯＢ−ＰＡＧ＿ＡＤＶ）の形式は、下記表６の通りである。前記ページングメッセージは放送（Broadcast）形態に移動局に伝達される。
【００２２】
【表６】
2008502271.tif 000008
前記ページングメッセージを受信した移動局は、自身が継続して遊休モードを維持できるのか（Action  Code＝００）、位置情報更新のためにレンジング（ranging）を行わなければならないのか（Action  Code＝０１）、自身に伝達しなければならない下りトラフィックを受信するために遊休モードを終了しなければならないのか（Action  Code＝１０）を決定できる。
【００２３】
移動局は、移動局が転送しなければならないトラフィックが発生した場合（上りリンクトラフィック発生）、遊休モードを終了することができる。また、移動局は、受信しなければならないトラフィックが発生した場合（下りリンクトラフィック発生）遊休モードを終了することができる。また、現在ページング領域を外れる、または、転送過程上の問題によって周期的なページングを受信できない場合、遊休モードを終了することができる。
図１は、遊休モードにある移動局に伝達すべき下りトラフィックが発生した場合、遊休モードを終了する手順を説明するための図である。図１を参照して、遊休モードを終了する手順について説明する。
【００２４】
基地局は遊休モードにある移動局がどの基地局の領域にあるかがわからない。したがって、下りトラフィックは、無条件で該当する移動局が初めて遊休モードへの切り替えを要請した基地局（最初基地局）に伝達される。
【００２５】
自身が遊休モードへの切り替えを許容した移動局への下りトラフィックが受信されると、第１基地局（最初基地局）は、自身の属しているページング領域にある全ての基地局にアクションコードを１１と設定し、また、ページング案内バックボーンメッセージを転送する（Ｓ１１）。
【００２６】
前記ページング案内メッセージを受信した全ての基地局は、ページングメッセージＭＯＶ＿ＰＡＧ＿ＡＤＶのアクションコードを１０に設定して、自身の領域にある全ての移動局に放送形態に転送する（Ｓ１２）。
【００２７】
前記ページングメッセージを受信した該当の移動局は、遊休モードを終了し、現在自身の位置する領域を担当する第２基地局（現在基地局）にネットワークへの再登録を要請する（Ｓ１３）。前記第２基地局は、前記ページング案内メッセージを通じて前記第１基地局の基地局ＩＤが確認できる。
【００２８】
再登録要請を受けた前記第２基地局は、基地局間に有線で転送されるＭＳＳ＿Ｉｎｆｏ＿Ｒｅｑｕｅｓｔバックボーンメッセージのアクションフラッグ（Action  flag）を１に設定して転送することによって、前記第１基地局が探そうとする移動局が自身の領域にあることを知らせる（Ｓ１４）。
【００２９】
前記ＭＳＳ＿Ｉｎｆｏ＿Ｒｅｑｕｅｓｔバックボーンメッセージの一例は、下記表７の通りである。
【００３０】
【表７】
2008502271.tif 000009
前記ＭＳＳ＿Ｉｎｆｏ＿Ｒｅｑｕｅｓｔを受信した前記第１基地局は、ページング案内バックボーンメッセージを通じて、自身と同じページング領域にある全ての基地局に、遊休モードを終了した移動局をページング目録から削除するように知らせる。
【発明の開示】
【発明が解決しようとする課題】
【００３１】
したがって、本発明は、従来技術における少なくとも一つの問題点を解決するために無線接続システムで移動局の遊休モードを制御する方法に関する。
【００３２】
本発明の目的は、移動局が一つのページング領域から他のページング領域へ移動することから初めてのページング領域で遊休モードを終了しなければならない場合、これを最初遊休モードを許容した基地局に知らせることによって、以前ページング領域における不必要なページングを防止できる遊休モード制御方法を提供することにある。
【００３３】
本発明の他の目的は、移動局が一つのページング領域から他のページング領域へ移動する場合、ページング制御器を用いてより效率的に遊休モードを制御できる方法を提供することにある。
【課題を解決するための手段】
【００３４】
上記目的を達成する本発明の一実施形態として、少なくともサービングページンググループ（serving  paging  group）と関連するサービング基地局（serving  base  station）と、ターゲットページンググループ（target  paging  group）と関するターゲット基地局（target  base  station）とを含むネットワークと移動局（mobile  subscriber  station）間の遊休モードを制御する方法において、前記遊休モード制御方法は、前記移動局が、前記サービング基地局と関連するサービングページンググループ識別子及びサービング基地局識別子を含む前記サービング基地局に遊休モード要請（idle  mode  request）を転送し、遊休モード進入を要請する段階を含む。また、前記方法は、前記サービング基地局から前記サービング基地局識別子及び前記サービングページンググループ識別子を含む遊休モード許可命令語（idle  mode  grant  command）を受信し、前記遊休モードに進入する段階を含む。また、前記方法は、前記移動局と前記ターゲットページンググループと関連するターゲット基地局間の、前記サービング基地局識別子及び前記サービングページンググループ識別子を含むレンジング要請（ranging  request）を始める段階を含む。また、前記方法は、前記サービング基地局は、前記サービング基地局識別子を通じて前記移動局が前記サービング基地局と遊休モードにないことがわかり、前記移動局は、前記ターゲット基地局と連結する段階を含む。
【００３５】
前記ネットワークは好ましく、前記サービング基地局に動作するように連結されているページング制御器（paging  controller）をさらに含む。前記サービング基地局識別子は好ましく、前記ページング制御器と関連するページング制御器識別子と代替（substituted）可能である。前記ターゲット基地局へのレンジング要請は好ましく、位置更新要請（location  update  request）をさらに含む。好ましくは、前記方法は、位置更新応答（location  update  response）を含むレンジング応答（ranging  response）を受信する段階をさらに含む。
【００３６】
他の実施例として、少なくともサービングページンググループ（serving  paging  group）と関連するサービング基地局（serving  base  station）とターゲットページンググループ（target  paging  group）と関連するターゲット基地局（target  base  station）とを含むネットワークと移動局（mobile  subscriber  station）間の遊休モードを制御する方法において、遊休モード制御方法は、遊休モード進入のために、前記移動局から前記サービング基地局と関連するサービングページンググループ識別子及びサービング基地局識別子を含む前記サービング基地局へ向かう遊休モード要請（idle  mode  request）を受信する段階を含む。また、前記方法は、前記サービング基地局が前記移動局に前記サービング基地局識別子及び前記サービングページンググループ識別子を含む遊休モード許可命令語（idle  mode  grant  command）を転送する段階を含む。また、前記方法は、前記移動局から前記ターゲットページンググループと関連するターゲット基地局へ向かい、前記サービング基地局識別子及びサービングページンググループ識別子を含む連結要請（connection  request）を受信する段階を含む。また、前記方法は、前記サービング基地局は、前記サービング基地局識別子を通じて前記移動局が前記サービング基地局と遊休モードにないことがわかり、前記移動局は、前記ターゲット基地局と連結する段階を含む。
【００３７】
前記ターゲット基地局への連結要請は好ましく、位置更新要請（location  update  request）をさらに含む。前記方法は好ましく、前記ページング制御器に遊休モード情報要請メッセージを転送する段階、前記ページング制御器から遊休モード情報応答メッセージを受信する段階、及び前記移動局にレンジング応答を転送する段階をさらに含む。
【００３８】
前記ページング制御器は好ましく、前記サービング基地局及び前記サービングページンググループと関連する他の基地局に、前記移動局が前記サービング基地局と遊休モードにないことを知らせる。前記ページング制御器は好ましく、前記ターゲット基地局及び前記ターゲットページンググループと関連する他の基地局に、前記移動局が前記ターゲット基地局と遊休モードに再進入したことを知らせる。
【発明の効果】
【００３９】
本発明は、様々な効果と共に広帯域無線接続システムを含む無線通信システムに適用可能である。
【発明を実施するための最良の形態】
【００４０】
以下、本発明に係る広帯域無線接続システムにおける移動局の遊休モード支援方法の好適な実施例を、添付の図面を参照しつつ説明する。図面中、同一または類似な部分については、可能な限り同一の参照番号及び符号を共通使用するものとする。
【００４１】
本発明は、ＩＥＥＥ８０２広帯域無線接続システムで用いられることができる。なお、本発明は、無線接続システムのいずれのタイプにも使用可能である。
【００４２】
図２は、本発明の好ましい一実施例によって、無線接続システムにおいて移動局の遊休モードを終了する過程を説明するための図である。
【００４３】
図２を参照すると、第１ページング領域２２５内で遊休モードにあった移動局２５０が、第２ページング領域２３５へ移動している。以下、この場合に第１ページング領域２２５で移動局２５０の遊休モードを終了させる手順を開示する。
【００４４】
各ページング領域は、相異なるページング周期とページングオフセットを使用するため、第１ページング領域２２５内で遊休モード状態にあった移動局２５０が、第２ページング領域２３５へ移動する場合、周期的なページングを受信することができない。第１基地局（最初基地局）２２０は、第１ページング領域２２５内で移動局２５０に遊休モードへの切り替えを許容することができる。
【００４５】
したがって、移動局２５０は遊休モードを終了し、第２ページング領域２３５内の第２基地局２３０にネットワークへの再登録を要請する［Ｓ２１］。第２基地局２３０）は、第１基地局２２０の基地局ＩＤをわからず、よって、移動局２５０は、ネットワークへの再登録を要請する過程で第１基地局２２０の基地局ＩＤを知らせなければならない。
【００４６】
第１基地局２２０の基地局ＩＤを第２基地局２３０に知らせるために、ネットワーク再登録要請のためのレンジング要請メッセージＲＮＧ＿ＲＥＱが用いられることができる。このレンジング要請メッセージＲＮＧ＿ＲＥＱの好ましい構成の一例を、下記の表８に示す。
【００４７】
【表８】
2008502271.tif 000010
移動局２５０から再登録要請を受けた第２基地局２３０は、ＭＳＳ−Ｉｎｆｏ−Ｒｅｑｕｅｓｔバックボーンメッセージのアクションフラッグを２と設定して（すなわち、移動局２５０が他のページング領域へ移動したことを表示して−表７参照）、第１基地局２２０に伝達する［Ｓ２２］。第２基地局２３０は、移動局２５０から第１基地局２２０の基地局ＩＤ（表８で‘Initiating  BS  ID’）を受信したので、この第１基地局２２０に上記ＭＳＳ＿Ｉｎｆｏ＿Ｒｅｑｕｅｓｔバックボーンメッセージを転送することができる。
【００４８】
第２基地局２３０からＭＳＳ＿Ｉｎｆｏ＿Ｒｅｑｕｅｓｔを受信した第１基地局２２０は、ページング案内バックボーンメッセージから、自身２２０と同じページング領域、すなわち、第１ページング領域２２５にある全ての基地局に、遊休モードを終了した移動局２５０をページング目録から削除するようにと通知する。この通知を受信した第１ページ領域内にある全ての基地局は、移動局２５０をページング目録から削除することによって、移動局２５０に対する遊休モードを終了する。
【００４９】
図３は、本発明の第１実施例によって、ページング制御器（Paging  Controller）が備えられた広帯域無線接続システムにおいて遊休モードを制御する方法を示す流れ図である。
図３に示すように、移動局３５０（ＭＳＳ；Mobile  Subscriber  Station）が遊休モードに切り替えようとする場合、自身の属する第１基地局３２０に遊休モード切り替え要請ＤＲＥＧ＿ＲＥＱメッセージを転送することによって、遊休モード切り替えを要請する（Ｓ３１）。このＤＲＥＧ＿ＲＥＱメッセージは、自身の属するサービング基地局から登録解除を要請する情報（De-registration  Request  Code）及びＴＬＶエンコーディングされた情報（例えば、ページング周期要請ＴＬＶ、遊休モード維持情報ＴＬＶ、ＭＡＣハッシュ省略限度値ＴＬＶ）を含むことができる。
【００５０】
遊休モード切り替え要請メッセージを受信した第１基地局３２０は、遊休モードへの切り替えを要請する移動局３５０の情報を知らせるための遊休モード情報要請メッセージＩｄｌｅ−Ｉｎｆｏ−ＲＥＱをページング制御器３７０に転送する（Ｓ３２）。表９に、遊休モード情報要請メッセージの一例を示す。
【００５１】
【表９−１】
2008502271.tif 000011
【００５２】
【表９−２】
2008502271.tif 000012
表９に示すように、遊休モード情報要請メッセージは、特定移動局が遊休モードへの切り替えを要請するという情報、移動局のＭＡＣアドレス、移動局のサービスフロー情報及びＴＬＶエンコーディングされた情報（例えば、遊休モード維持情報ＴＬＶ、ＭＡＣハッシュ省略限度値ＴＬＶ）を含むことができる。
【００５３】
前記遊休モード情報要請メッセージを受信したページング制御器３７０は、遊休モード情報要請メッセージを転送した前記サービング基地局、すなわち、第１基地局３２０に、遊休モード情報応答Ｉｄｌｅ−Ｉｎｆｏ−ＲＳＰメッセージを転送する（Ｓ３３）。
【００５４】
表１０に、遊休モード情報応答Ｉｄｌｅ−Ｉｎｆｏ−ＲＳＰメッセージの一例を示す。
【００５５】
【表１０−１】
2008502271.tif 000013
【００５６】
【表１０−２】
2008502271.tif 000014
表１０に示すように、遊休モード情報応答Ｉｄｌｅ−Ｉｎｆｏ−ＲＳＰメッセージは、移動局が遊休モードに切り替えたことを知らせる情報、移動局のＭＡＣアドレス、移動局のサービスフロー情報及びＴＬＶエンコーディングされた情報（例えば、ページング情報ＴＬＶ、ページング制御器ＩＤ  ＴＬＶ、遊休モード維持情報ＴＬＶ、ＭＡＣハッシュ省略限度値ＴＬＶ）を含むことができる。
【００５７】
遊休モード情報応答Ｉｄｌｅ−Ｉｎｆｏ−ＲＳＰメッセージを受信した第２基地局３３０は、遊休モード切り替えを要請した移動局３５０に、遊休モード指示メッセージＤＲＥＧ−ＣＭＤを転送する（Ｓ３４）。前記遊休モード指示メッセージは、遊休モード切り替えを指示する情報と、ＴＬＶエンコーディングされた情報（例えば、ページング情報ＴＬＶ、ページング制御器ＩＤ  ＴＬＶ、遊休モード維持情報ＴＬＶ、ＭＡＣハッシュ省略限度値ＴＬＶ）を含むことができる。
【００５８】
一実施例で移動局３５０が遊休モード状態で他のページンググループ（すなわち、ページンググループＩＤ＝２）に属する基地局である第２基地局の領域へ移動すると、移動局３５０は第２基地局３３０に、ハンドオーバー指示子ＴＬＶ、ページング制御器３７０識別子ＴＬＶを含むレンジング要請メッセージＲＮＧ＿ＲＥＱを転送して（Ｓ３５）、第２基地局３３０に遊休モードを終了することを知らせる。第２基地局３３０は、遊休モード情報要請Ｉｄｌｅ−Ｉｎｆｏ−ＲＥＱメッセージを、レンジング要請メッセージを介して伝達されたページング制御器３７０識別子を持つページング制御器３７０に伝達することによって、移動局３５０が遊休モードを終了したことを知らせる（Ｓ３６）。
【００５９】
また、第２基地局３３０は移動局３５０にレンジング応答メッセージＲＮＧ＿ＲＳＰを転送し（Ｓ３７）、移動局３５０は当該レンジング応答メッセージによって網進入手順を行う（Ｓ３８）。ページング制御器３７０は、第１基地局３２０のように以前ページンググループ（すなわち、ページンググループＩＤ＝１）に属する全ての基地局に、該当移動局３５０が遊休モードを終了したことを知らせる遊休モード情報応答メッセージを転送できる（Ｓ３９）。この遊休モード情報応答メッセージを受信に対する応答とし、以前ページンググループ（すなわち、ページンググループＩＤ＝１）に属する各基地局は、現在遊休モードにある移動局の目録を更新する。
【００６０】
図４は、本発明の第２実施例によって、ページング制御器（Paging  Controller）が備えられた広帯域無線接続システムにおいて遊休モードを制御する方法を示す流れ図である。
【００６１】
図４に示すように、移動局４５０（ＭＳＳ；Mobile  Subscriber  Station）が遊休モードに切り替えようとする場合、自身の属するサービング基地局に遊休モード切り替え要請ＤＲＥＧ＿ＲＥＱメッセージを転送することによって、遊休モード切り替えを要請する（Ｓ４１）。このＤＲＥＧ＿ＲＥＱメッセージは、自身の属する基地局から登録解除を要請する情報（De-registration  Request  Code）及びＴＬＶエンコーディングされた情報（例えば、ページング周期要請ＴＬＶ、遊休モード維持情報ＴＬＶ、ＭＡＣハッシュ省略限度値ＴＬＶ）を含むことができる。
【００６２】
遊休モード切り替え要請メッセージを受信した第１基地局４２０は、遊休モードへの切り替えを要請する移動局４５０の情報を知らせるための遊休モード情報要請メッセージＩｄｌｅ−Ｉｎｆｏ−ＲＥＱをページング制御器４７０に転送する（Ｓ４２）。この遊休モード情報要請メッセージの一例は、表９に示した通りである。表９に示すように、遊休モード情報要請メッセージは、特定移動局４５０が遊休モードへの切り替えを要請するという情報、移動局４５０のＭＡＣアドレス、移動局４５０のサービスフロー情報及びＴＬＶエンコーディングされた情報（例えば、遊休モード維持情報ＴＬＶ、ＭＡＣハッシュ省略限度値ＴＬＶ）を含むことができる。
【００６３】
上記遊休モード情報要請メッセージを受信したページング制御器４７０は、遊休モード情報要請メッセージを転送したサービング基地局、すなわち、第１基地局４２０に、遊休モード情報応答Ｉｄｌｅ−Ｉｎｆｏ−ＲＳＰメッセージを転送する（Ｓ４３）。上記表１０に、遊休モード情報応答Ｉｄｌｅ−Ｉｎｆｏ−ＲＳＰメッセージの一例が示されている。
【００６４】
上記表１０に示すように、遊休モード情報応答Ｉｄｌｅ−Ｉｎｆｏ−ＲＳＰメッセージは、移動局４５０が遊休モードに切り替えたことを知らせる情報、移動局４５０のＭＡＣアドレス、移動局４５０のサービスフロー情報及びＴＬＶエンコーディングされた情報（例えば、ページング情報ＴＬＶ、ページング制御器４７０ＩＤ  ＴＬＶ、遊休モード維持情報ＴＬＶ、ＭＡＣハッシュ省略限度値ＴＬＶ）を含むことができる。
【００６５】
遊休モード情報応答Ｉｄｌｅ−Ｉｎｆｏ−ＲＳＰメッセージを受信した第２基地局４３０は、遊休モード切り替えを要請した移動局４５０に、遊休モード指示メッセージＤＲＥＧ＿ＣＭＤを転送する（Ｓ４４）。この遊休モード指示メッセージは、遊休モード切り替えを指示する情報と、ＴＬＶエンコーディングされた情報（例えば、ページング情報ＴＬＶ、ページング制御器４７０ＩＤ  ＴＬＶ、遊休モード維持情報ＴＬＶ、ＭＡＣハッシュ省略限度値ＴＬＶ）を含むことができる。
【００６６】
他の実施例として、移動局４５０が第２基地局４３０領域へ移動し、第２基地局４３０は第１基地局４２０と異なるページンググループに属する場合、移動局４５０は、現在サービス基地局である第２基地局４３０に遊休モード位置更新手順を要請するために、第２基地局４３０にハンドオーバー指示子ＴＬＶ、ページング制御器４７０識別子ＴＬＶの他に、位置更新要請ＴＬＶを含むレンジング要請メッセージを転送する（Ｓ４５）。第２基地局４３０はページング制御器４７０に、位置更新を要請する遊休モード情報要請メッセージを転送する（Ｓ４６）。
【００６７】
一方、ページング制御器４７０は、第１基地局４２０の属するページンググループ（すなわち、ページンググループＩＤ＝１）内の全ての基地局に、該当移動局４５０が遊休モードを終了したことを知らせる遊休モード情報応答メッセージを転送できる（Ｓ４９）。この遊休モード情報応答メッセージを受信した各基地局は、現在遊休モードにある移動局の目録を更新する。
【００６８】
図５は、本発明の第３実施例によって、ページング制御器（Paging  Controller）が備えられた広帯域無線接続システムにおいて、遊休モードを制御する方法を示す流れ図である。
【００６９】
図５に示すように、移動局５５０（ＭＳＳ；Mobile  Subscriber  Station）が遊休モードに切り替えようとする場合、自身の属するサービング基地局に遊休モード切り替え要請ＤＲＥＧ＿ＲＥＱメッセージを転送することによって、遊休モード切り替えを要請する（Ｓ５１）。このＤＲＥＧ＿ＲＥＱメッセージは、自身の属するサービング基地局から登録解除を要請する情報（De-registration  Request  Code）及びＴＬＶエンコーディングされた情報（例えば、ページング周期要請ＴＬＶ、遊休モード維持情報ＴＬＶ、ＭＡＣハッシュ省略限度値ＴＬＶ）を含むことができる。
【００７０】
遊休モード切り替え要請メッセージを受信した第１基地局５２０は、遊休モードへの切り替えを要請する移動局５５０の情報を知らせるための遊休モード情報要請メッセージＩｄｌｅ−Ｉｎｆｏ−ＲＥＱを、ページング制御器５７０に転送する（Ｓ５２）。この遊休モード情報要請メッセージの一例は、上記表９に示した通りである。  上記表９に示すように、遊休モード情報要請メッセージは、特定移動局５５０が遊休モードに切り替えを要請するという情報、移動局５５０のＭＡＣアドレス、移動局５５０のサービスフロー情報及びＴＬＶエンコーディングされた情報（例えば、遊休モード維持情報ＴＬＶ、ＭＡＣハッシュ省略限度値ＴＬＶ）を含むことができる。
【００７１】
当該遊休モード情報要請メッセージを受信したページング制御器５７０は、遊休モード情報要請メッセージを転送したサービング基地局に、遊休モード情報応答Ｉｄｌｅ−Ｉｎｆｏ−ＲＳＰメッセージを転送する（Ｓ４３）。上記表１０に、遊休モード情報応答Ｉｄｌｅ−Ｉｎｆｏ−ＲＳＰメッセージの一例が示されている。
【００７２】
上記表１０に示すように、遊休モード情報応答Ｉｄｌｅ−Ｉｎｆｏ−ＲＳＰメッセージは、移動局５５０が遊休モードに切り替えたことを知らせる情報、移動局５５０のＭＡＣアドレス、移動局５５０のサービスフロー情報及びＴＬＶエンコーディングされた情報（例えば、ページング情報ＴＬＶ、ページング制御器５７０ＩＤ  ＴＬＶ、遊休モード維持情報ＴＬＶ、ＭＡＣハッシュ省略限度値ＴＬＶ）を含むことができる。
【００７３】
遊休モード情報応答Ｉｄｌｅ−Ｉｎｆｏ−ＲＳＰメッセージを受信した第２基地局５３０は、遊休モード切り替えを要請した移動局５５０に、遊休モード指示メッセージＤＲＥＧ−ＣＭＤを転送する（Ｓ５４）。この遊休モード指示メッセージは、遊休モード切り替えを指示する情報と、ＴＬＶエンコーディングされた情報（例えば、ページング情報ＴＬＶ、ページング制御器５７０ＩＤ  ＴＬＶ、遊休モード維持情報ＴＬＶ、ＭＡＣハッシュ省略限度値ＴＬＶ）を含むことができる。
【００７４】
第２基地局５３０がレンジング応答メッセージを通じて要請した位置更新手順を行うことができないということを移動局５５０に知らせた場合、移動局５５０は、網に再進入するための手順を行う（Ｓ５７）。移動局５５０が網に再進入する手順を行うと、第２基地局５３０はページング制御器５７０に、移動局５５０が網に再進入したことを知らせるための遊休モード情報要請メッセージを伝達する（Ｓ５８）。
【００７５】
また、ページング制御器５７０は、第１基地局５２０の属するページンググループ（すなわち、ページンググループＩＤ＝１）内の全ての基地局に、該当移動局５５０が遊休モードを終了したことを知らせる遊休モード情報応答メッセージを転送できる（Ｓ５９）。この遊休モード情報応答メッセージを受信したページンググループ（すなわち、ページンググループＩＤ＝１）に属する各基地局は、現在遊休モードにある移動局の目録を更新する。
【００７６】
図６は、本発明の第４実施例によって、ページング制御器（Paging  Controller）が備えられた広帯域無線接続システムにおいて、遊休モードを制御する方法を示す流れ図である。
【００７７】
図６に示すように、移動局６５０（ＭＳＳ；Mobile  Subscriber  Station）が遊休モードに切り替えようとする場合、自身の属するサービング基地局に遊休モード切り替え要請ＤＲＥＧ＿ＲＥＱメッセージを転送することによって、遊休モード切り替えを要請する（Ｓ６１）。このＤＲＥＧ＿ＲＥＱメッセージは、自身の属する基地局から登録解除を要請する情報（De-registration  Request  Code）及びＴＬＶエンコーディングされた情報（例えば、ページング周期要請ＴＬＶ、遊休モード維持情報ＴＬＶ、ＭＡＣハッシュ省略限度値ＴＬＶ）を含むことができる。
【００７８】
遊休モード切り替え要請メッセージを受信した第１基地局６２０は、遊休モードへの切り替えを要請する移動局６５０の情報を知らせるための遊休モード情報要請メッセージＩｄｌｅ−Ｉｎｆｏ−ＲＥＱを、ページング制御器６７０に転送する（Ｓ６２）。この遊休モード情報要請メッセージの一例は、上記表９に示した通りである。上記表９に示すように、遊休モード情報要請メッセージは、特定移動局６５０が遊休モードに切り替えを要請するという情報、移動局６５０のＭＡＣアドレス、移動局６５０のサービスフロー情報及びＴＬＶエンコーディングされた情報（例えば、遊休モード維持情報ＴＬＶ、ＭＡＣハッシュ省略限度値ＴＬＶ）を含むことができる。
【００７９】
前記遊休モード情報要請メッセージを受信したページング制御器６７０は、遊休モード情報要請メッセージを転送したサービング基地局、すなわち、第１基地局６２０に遊休モード情報応答Ｉｄｌｅ−Ｉｎｆｏ−ＲＳＰメッセージを転送する（Ｓ６３）。上記表１０に、遊休モード情報応答Ｉｄｌｅ−Ｉｎｆｏ−ＲＳＰメッセージの一例が示されている。
【００８０】
表１０に示すように、遊休モード情報応答Ｉｄｌｅ−Ｉｎｆｏ−ＲＳＰメッセージは、移動局６５０が遊休モードに切り替えたことを知らせる情報、移動局６５０のＭＡＣアドレス、移動局６５０のサービスフロー情報及びＴＬＶエンコーディングされた情報（例えば、ページング情報ＴＬＶ、ページング制御器６７０ＩＤ  ＴＬＶ、遊休モード維持情報ＴＬＶ、ＭＡＣハッシュ省略限度値ＴＬＶ）を含むことができる。
【００８１】
遊休モード情報応答Ｉｄｌｅ−Ｉｎｆｏ−ＲＳＰメッセージを受信した第２基地局６３０は、遊休モード切り替えを要請した移動局６５０に、遊休モード指示メッセージＤＲＥＧ−ＣＭＤを転送する（Ｓ６４）。この遊休モード指示メッセージは、遊休モード切り替えを指示する情報と、ＴＬＶエンコーディングされた情報（例えば、ページング情報ＴＬＶ、ページング制御器６７０  ＩＤ  ＴＬＶ、遊休モード維持情報ＴＬＶ、ＭＡＣハッシュ省略限度値ＴＬＶ）を含むことができる。
【００８２】
また、移動局６５０が第２基地局６３０領域へ移動し、第２基地局６３０は第１基地局６２０と異なるページンググループに属する場合、移動局６５０は、位置更新を要請するためのレンジング要請メッセージを第２基地局６３０に転送する（Ｓ６５）。
【００８３】
第２基地局６３０はページング制御器６７０に遊休モード情報要請メッセージを伝達することによって、移動局６５０が位置更新を要請したことを知らせる（Ｓ６６）。ページング制御器６７０が、要請された位置更新のための手順を行うことができない場合、遊休モード情報応答メッセージを通じて第２基地局６３０に要請した位置更新手順が不可能であるといことを知らせる（Ｓ６７）。そして、第２基地局６３０は、レンジング応答メッセージを介して移動局６５０に位置更新手順に失敗したことを知らせる（Ｓ６８）。移動局６５０は、当該レンジング応答メッセージ応じて、網に再進入するための手順を行う（Ｓ６９）。
【００８４】
網再進入が終了すると、第２基地局６３０は、遊休モード情報要請メッセージを通じて、網再進入が終了したということをページング制御器６７０に知らせる（Ｓ７０）。ページング制御器６７０は、第１基地局６２０の属するページンググループ（すなわち、ページンググループＩＤ＝１）内の全ての基地局に、移動局６５０が遊休モードを終了したことを知らせる遊休モード情報応答メッセージを転送できる（Ｓ７１）。このメッセージを受信した各基地局は、現在遊休モードにある移動局の目録を更新する。
【００８５】
一実施形態として、少なくともサービングページンググループ（serving  paging  group）と関連するサービング基地局（serving  base  station）と、ターゲットページンググループ（target  paging  group）と関するターゲット基地局（target  base  station）とを含むネットワークと移動局（mobile  subscriber  station）間の遊休モードを制御する方法において、前記遊休モード制御方法は、前記移動局が、前記サービング基地局と関連するサービングページンググループ識別子及びサービング基地局識別子を含む前記サービング基地局に遊休モード要請（idle  mode  request）を転送し、遊休モード進入を要請する段階を含む。また、前記方法は、前記サービング基地局から前記サービング基地局識別子及び前記サービングページンググループ識別子を含む遊休モード許可命令語（idle  mode  grant  command）を受信し、前記遊休モードに進入する段階を含む。また、前記方法は、前記移動局と前記ターゲットページンググループと関連するターゲット基地局間の、前記サービング基地局識別子及び前記サービングページンググループ識別子を含むレンジング要請（ranging  request）を始める段階を含む。また、前記方法は、前記サービング基地局は、前記サービング基地局識別子を通じて前記移動局が前記サービング基地局と遊休モードにないことがわかり、前記移動局は、前記ターゲット基地局と連結する段階を含む。
【００８６】
前記ネットワークは好ましく、前記サービング基地局に動作するように連結されているページング制御器（paging  controller）をさらに含む。前記サービング基地局識別子は好ましく、前記ページング制御器と関連するページング制御器識別子と代替（substituted）可能である。前記ターゲット基地局へのレンジング要請は好ましく、位置更新要請（location  update  request）をさらに含む。好ましくは、前記方法は、位置更新応答（location  update  response）を含むレンジング応答（ranging  response）を受信する段階をさらに含む。
【００８７】
他の実施例として、少なくともサービングページンググループ（serving  paging  group）と関連するサービング基地局（serving  base  station）とターゲットページンググループ（target  paging  group）と関連するターゲット基地局（target  base  station）とを含むネットワークと移動局（mobile  subscriber  station）間の遊休モードを制御する方法において、遊休モード制御方法は、遊休モード進入のために、前記移動局から前記サービング基地局と関連するサービングページンググループ識別子及びサービング基地局識別子を含む前記サービング基地局へ向かう遊休モード要請（idle  mode  request）を受信する段階を含む。また、前記方法は、前記サービング基地局が前記移動局に前記サービング基地局識別子及び前記サービングページンググループ識別子を含む遊休モード許可命令語（idle  mode  grant  command）を転送する段階を含む。また、前記方法は、前記移動局から前記ターゲットページンググループと関連するターゲット基地局へ向かい、前記サービング基地局識別子及びサービングページンググループ識別子を含む連結要請（connection  request）を受信する段階を含む。また、前記方法は、前記サービング基地局は、前記サービング基地局識別子を通じて前記移動局が前記サービング基地局と遊休モードにないことがわかり、前記移動局は、前記ターゲット基地局と連結する段階を含む。
【００８８】
前記ターゲット基地局への連結要請は好ましく、位置更新要請（location  update  request）をさらに含む。前記方法は好ましく、前記ページング制御器に遊休モード情報要請メッセージを転送する段階、前記ページング制御器から遊休モード情報応答メッセージを受信する段階、及び前記移動局にレンジング応答を転送する段階をさらに含む。
【００８９】
前記ページング制御器は好ましく、前記サービング基地局及び前記サービングページンググループと関連する他の基地局に、前記移動局が前記サービング基地局と遊休モードにないことを知らせる。前記ページング制御器は好ましく、前記ターゲット基地局及び前記ターゲットページンググループと関連する他の基地局に、前記移動局が前記ターゲット基地局と遊休モードに再進入したことを知らせる。
【００９０】
本発明による無線接続システムにおける移動局遊休モード制御方法によれば、遊休モードにあった端末がページング領域を外れる場合、既存のページング領域に対する遊休モードを效率的に終了でき、かつ、不必要なトラフィックの発生を防止することが可能になる。また、本発明は、ページング制御器を用いてより效率的に遊休モードを制御できる方法を提供可能になる。
【００９１】
本発明は、本発明の精神及び必須特徴を逸脱しない範囲で他の特定の形態に具体化できることは、当業者にとっては自明である。したがって、上記の詳細な説明はあらゆる面において制約的に解釈されてはいけなく、例示的なものとして考慮されなければならない。本発明の範囲は、添付の特許請求の範囲の合理的な解釈によって決定されるべきであり、本発明の等価的範囲内における変更はいずれも本発明の範囲に含まれる。
【図面の簡単な説明】
【００９２】
【図１】下りトラフィックがある場合に、遊休モードを終了する手順を説明するための図である。
【図２】本発明の好ましい一実施例によって無線接続システムで移動局の遊休モードを終了する過程を説明するための図である。
【図３】本発明の第１実施例によって、ページング制御器（Paging  Controller)が備えられた広帯域無線接続システムにおいて遊休モードを制御する方法を示す流れ図である。
【図４】本発明の第２実施例によって、ページング制御器（Paging  Controller）が備えられた広帯域無線接続システムにおいて遊休モードを制御する方法を示す流れ図である。
【図５】本発明の第３実施例によって、ページング制御器（Paging  Controller）が備えられた広帯域無線接続システムにおいて遊休モードを制御する方法を示す流れ図である。
【図６】本発明の第４実施例によって、ページング制御器（Paging  Controller）が備えられた広帯域無線接続システムにおいて遊休モードを制御する方法を示す流れ図である。
【図１】
2008502271.tif 000015
【図２】
2008502271.tif 000016
【図３】
2008502271.tif 000017
【図４】
2008502271.tif 000018
【図５】
2008502271.tif 000019
【図６】
2008502271.tif 000020
【国際調査報告】
2008502271.tif 000021
2008502271.tif 000022
2008502271.tif 000023